(57)【特許請求の範囲】
【請求項１】
スイッチを備えスイッチごとに固有のアドレスが設定される操作端末器と、負荷が接続され負荷ごとに固有のアドレスが設定される制御端末器と、操作端末器および制御端末器を分岐接続した信号線に接続されスイッチと負荷とのアドレスの対応関係を管理し、スイッチが操作されたときに操作端末器から受け取る監視データに基づいて負荷を制御する制御データを生成し、かつ操作されたスイッチに対応付けられた負荷が接続されている制御端末器に対して制御データを伝送する伝送制御装置と、信号線に接続され操作部および表示部を有する設定操作端末器とを備え、設定操作端末器は、文字および図形を表示可能な表示器と、表示器の画面に重ね合わされた透明なタッチパネルと、表示器の表示内容に関連付けてタッチパネルに割り付けた操作部の操作に対する処理内容を設定する設定モードと前記操作部の操作に応答して前記処理内容を実行する操作モードとを選択可能な制御部とを備え、さらに制御部は、前記操作部の操作によりスイッチと負荷との対応関係である関係データを設定し、かつ設定した関係データを分割し関係データを一部ずつ複数回に分けて前記信号線を介して伝送制御装置に転送することを特徴とする遠隔監視制御システム。
【請求項２】
前記設定操作端末器の器体は大角連用形の配線器具の単位寸法の整数倍に相当する寸法の配線器具を取付可能な取付枠と同じ取付ピッチの取付部を備えた取付片を有し、取付部として少なくとも配線器具用のスイッチボックスに螺合するボックスねじが挿通可能なボックス取付孔を備えることを特徴とする請求項１記載の遠隔監視制御システム。
【請求項３】
前記制御部は、設定モードにおいて負荷のアドレスに一対一に対応するスイッチのアドレスに相当する個別アドレスを前記操作部に割り付ける機能を有し、操作モードにおいて個別アドレスを割り付けた操作部を操作することにより負荷をオンオフさせる機能を有することを特徴とする請求項１または請求項２記載の遠隔監視制御システム。
【請求項４】
前記制御部は、設定モードにおいて負荷の複数のアドレスに一対多に対応するスイッチのアドレスに相当するグループアドレスを前記操作部に割り付ける機能を有し、操作モードにおいてグループアドレスを割り付けた操作部を操作することにより複数の負荷を一括して同じ状態にオンオフさせる機能を有することを特徴とする請求項１または請求項２記載の遠隔監視制御システム。
【請求項５】
前記制御部は、設定モードにおいて負荷の複数のアドレスに一対多に対応するスイッチのアドレスに相当するパターンアドレスを前記操作部に割り付ける機能を有し、操作モードにおいてパターンアドレスを割り付けた操作部を操作することにより複数の負荷を個々に指定された状態で一括してオンオフさせる機能を有することを特徴とする請求項１または請求項２記載の遠隔監視制御システム。
【請求項６】
前記制御部は、設定モードにおいて操作部のオフ操作から一定の遅れ時間の経過後に負荷をオフにするように操作部に遅れ時間を対応付ける機能を有し、操作モードにおいて当該操作部によるオフ操作から遅れ時間後にオフを指示する監視データを発生する機能を有することを特徴とする請求項３または請求項４記載の遠隔監視制御システム。
【請求項７】
前記制御部は、設定モードにおいて操作部のオン操作により負荷をオンにした後から一定の保持時間が経過すると負荷をオフにするように操作部に保持時間を対応付ける機能を有し、操作モードにおいて当該操作部によるオン操作によりオンを指示する監視データを発生し、かつ保持時間の経過後にオフを指示する監視データを発生する機能を有することを特徴とする請求項３または請求項４記載の遠隔監視制御システム。
【請求項８】
前記負荷は照明負荷であり、前記制御端末器は照明負荷の調光量が制御可能な調光用制御端末器であって、前記制御部は、設定モードにおいて調光用制御端末器への調光レベルを指示する機能を操作部に割り付け、操作モードにおいて当該操作部の操作により調光用制御端末器による照明負荷の調光量を変化させることを特徴とする請求項１または請求項２記載の遠隔監視制御システム。
【請求項９】
前記制御部は、設定モードにおいて照明負荷の複数のアドレスに一対多に対応するグループ調光アドレスを前記操作部に割り付ける機能を有し、操作モードにおいてグループ調光アドレスを割り付けた操作部を操作することにより複数の照明負荷を一括して同じ調光レベルに制御する機能を有することを特徴とする請求項８記載の遠隔監視制御システム。
【請求項１０】
前記制御端末器は負荷の動作方向と動作強度との少なくとも一方を制御可能であって、前記制御部は、設定モードにおいて負荷の動作方向と動作強度との少なくとも一方を指示する機能を操作部に割り付け、操作モードにおいて当該操作部の操作により前記制御端末器による負荷の動作方向ないし動作強度を指示することを特徴とする請求項１または請求項２記載の遠隔監視制御システム。
【発明の詳細な説明】
【０００１】
【発明の属する技術分野】
本発明は、遠隔監視制御システムに関するものである。
【０００２】
【従来の技術】
従来より、図２５に示す構成の遠隔監視制御システムが提供されている。この遠隔監視制御システムでは、伝送制御装置３０に接続された２線式の信号線Ｌｓに複数台ずつの操作端末器３１および制御端末器３２が分岐接続（マルチドロップ接続）されている。各操作端末器３１および各制御端末器３２には、それぞれ個別のアドレスが設定され、伝送制御装置３０はそれらのアドレスを用いて操作端末器３１および制御端末器３２を個別に認識する。操作端末器３１はスイッチＳ0 を備え、制御端末器３２には負荷Ｌが接続される。また、操作端末器３１には負荷Ｌの動作状態を確認するための発光ダイオードよりなる確認灯（図示せず）が設けられている。遠隔監視制御システムには、操作端末器３１や制御端末器３２のほかにも各種の端末器を用いることが可能であって、たとえばセンサを接続した監視端末器では、センサ入力に対応するアナログ情報を伝送可能になっている。
【０００３】
伝送制御装置３０は信号線Ｌｓに対して、図２６（ａ）に示すフォーマットの伝送信号Ｖｓを送出する。すなわち、信号送出開始を示す同期信号ＳＹ、伝送信号Ｖｓのモードを示すモードデータＭＤ、操作端末器３１や制御端末器３２を各別に呼び出すためのアドレスデータＡＤ、負荷Ｌを制御する制御データＣＤ、伝送誤りを検出するためのチェックサムデータＣＳ、操作端末器３１や制御端末器３２からの返送信号（監視データ）を受信するタイムスロットである信号返送期間ＷＴよりなる双極性（±２４Ｖ）の時分割多重信号であり、パルス幅変調によってデータが伝送されるようになっている（図２６（ｂ））。各操作端末器３１および各制御端末器３２では、信号線Ｌｓを介して受信した伝送信号Ｖｓにより伝送されたアドレスデータＡＤがあらかじめ設定されているアドレスに一致すると、伝送信号Ｖｓから制御データＣＤを取り込むとともに、伝送信号Ｖｓの信号返送期間ＷＴに監視データを電流モード信号（信号線Ｌｓを適当な低インピーダンスを介して短絡することにより送出される信号）として返送する。
【０００４】
伝送制御装置３０から所望の操作端末器３１や制御端末器３２にデータを伝送する場合には、モードデータＭＤを制御モードとし、操作端末器３１または制御端末器３２のアドレスをアドレスデータＡＤとする伝送信号Ｖｓを送出し、この伝送信号Ｖｓを信号線Ｌｓに送出すれば、アドレスデータＡＤに一致する操作端末器３１または制御端末器３２が制御データＣＤを受け取り、信号返送期間ＷＴに監視データを返送する。伝送制御装置３０では送出した制御データＣＤと信号返送期間ＷＴに受信した監視データとの関係によって制御データＣＤが所望の操作端末器３１または制御端末器３２に伝送されたことを確認することができる。制御端末器３２は受け取った制御データＣＤに従って負荷Ｌを制御するための負荷制御信号を出力し、操作端末器３１では受け取った制御データＣＤに従って負荷Ｌの動作確認表示を行なうための監視信号を出力する。
【０００５】
一方、伝送制御装置３０は常時はモードデータＭＤをダミーモードとしアドレスデータＡＤをサイクリックに変化させる伝送信号Ｖｓを一定時間間隔で送出しており（常時ポーリング）、伝送信号ＶｓのアドレスデータＡＤに一致するアドレスが設定されている端末器は信号返送期間ＷＴに監視データを返送することができる。たとえば、上述した監視端末器は常時ポーリングによってアナログ情報を伝送する。また、操作端末器３１が伝送制御装置３０に対してスイッチＳ0 の操作情報を伝送しようとするときには、ダミーモードの伝送信号Ｖｓの同期信号ＳＹに同期させて図２６（ｃ）のような割込信号を発生させる。このとき、操作端末器３１は割込フラグを設定して伝送制御装置３０との以後の情報授受に備える。伝送制御装置３０では割込信号を受信すると、モードデータＭＤを割込ポーリングモードとしかつアドレスデータＡＤの上位の半数のビット（アドレスデータＡＤを８ビットとすれば上位４ビット）を順次増加させながら伝送信号を送出し、割込信号を発生した操作端末器３１では、割込ポーリングモードの伝送信号のアドレスデータＡＤの上位４ビットが操作端末器３１に設定されているアドレスの上位４ビットに一致するときに、信号返送期間ＷＴにアドレスの下位の半数のビットを伝送制御装置３０に返送する。このように、伝送制御装置３０は割込信号を発生した操作端末器３１を１６個ずつまとめて探すので、比較的短い時間で操作端末器３１を発見することができる。
【０００６】
伝送制御装置３０が割込信号を発生した操作端末器３１のアドレスを獲得すると、モードデータＭＤを監視モードとし、獲得したアドレスデータＡＤを持つ伝送信号を信号線Ｌｓに送出するのであって、この伝送信号に対して操作端末器３１は伝送しようとする情報を信号返送期間ＷＴに返送するのである。最後に、伝送制御装置３０は割込信号を発生した操作端末器３１に対して割込リセットを指示する信号を送出し、操作端末器３１の割込フラグを解除する。以上のようにして、操作端末器３１から伝送制御装置３０への情報伝送は、伝送制御装置３０から操作端末器３１への４回の信号伝送（ダミーモード、割込ポーリングモード、監視モード、割込リセット）によって完了する。伝送制御装置３０が所望の制御端末器３２の動作状態を知ろうとするときには、モードデータＭＤを監視データとした伝送信号を送出するだけでよく、常時ポーリングにより実現される。
【０００７】
操作端末器３１と監視端末器３２との動作を簡単にまとめる。まず、操作端末器３１においてスイッチＳ0 による入力データが発生すると、入力データに対応した監視データを伝送制御装置３０に返送し、伝送制御装置３０が制御端末器３２に制御データＣＤを伝送すると、制御端末器３２は負荷制御信号を出力して負荷Ｌを制御する。ここで、制御端末器３２には負荷監視入力が与えられ、負荷監視入力に対応する監視データを伝送制御装置３０に返送し、返送された監視データを操作端末器３１に伝送する。この伝送信号によって操作端末器３１では負荷監視出力を発生する。負荷監視出力は通常は確認灯の点灯・消灯に用いられる。また、操作端末器３１は最大４回路のスイッチＳ0 を備え、制御端末器３２は最大４回路の負荷Ｌが制御可能であって、操作端末器３１および制御端末器３２には各スイッチＳ0 や負荷Ｌを個別に認識するために２ビットの負荷番号が付加されている。以下では、上述した操作端末器３１ないし制御端末器３２のアドレスをチャンネルと呼び、チャンネルと負荷番号とをまとめてアドレスと呼ぶことにする。つまり、各スイッチＳ0 や各負荷Ｌに個別のアドレスが付与されていることになる。
【０００８】
図２５に示す遠隔監視制御システムでは、端末器として調光用制御端末器３３も信号線Ｌｓに接続されている。調光用制御端末器３３は照明負荷を負荷Ｌとし照明負荷の光出力を制御するものであって、伝送信号Ｖｓにより照明負荷の光出力の増加または減少が指示されると光出力を時間経過に伴って変化させ、別の伝送信号により停止が指示されると光出力の変化を停止する。調光用制御端末器３３は、調光用操作端末器３８と対応付けられており、調光用操作端末器３８には負荷Ｌの光出力の増加と減少とをそれぞれ指示する操作部が設けられ、いずれかの操作部が押操作されると調光用操作端末器３８は割込信号Ｖｉを発生して光出力の変化開始を指示し、調光用制御端末器３３では光出力を操作部で指示された方向に変化（増加または減少）させる。また、操作部の押操作を止めると、調光用操作端末器３８は再び割込信号Ｖｉを発生して光出力の変化停止を指示し、調光用制御端末器３３では光出力の変化を停止させる。調光用操作端末器３８には負荷Ｌのオンオフのための操作部も設けられ、この操作部の操作によって負荷Ｌを消灯させると、次に負荷Ｌを点灯させたときに前の光出力で負荷Ｌが点灯するようになっている。前の光出力は各調光用制御端末器３３が記憶している。
ところで、この種の遠隔監視制御システムでは、スイッチＳ0 と負荷Ｌとのアドレスの対応関係を伝送制御装置３０で管理しているから、伝送制御装置３０において１回路のスイッチＳ0 のアドレスに対して複数回路の負荷Ｌのアドレスを関係データとして対応付けておけば、１回路のスイッチＳ0 で複数回路の負荷Ｌを一括して制御することが可能である。このような一括制御にはグループ制御とパターン制御とがある。グループ制御では複数の負荷を同じ制御状態に制御し、パターン制御では複数の負荷をあらかじめ指定した制御状態に制御する。グループ制御やパターン制御を行なう一括操作端末器は一括制御用に定めたアドレスを用いる操作端末器３１である。また、調光についても一括制御が可能であり、調光についてグループ制御（グループ調光という）を行なうときには、調光用操作端末器３８と同様の外観を有した調光用一括操作端末器３９を設け、調光用一括操作端末器３９により制御対象となる調光用制御端末器３８に調光の指示を与える。また、調光についてパターン制御（パターン調光という）を行なうときには、パターン制御と同様に一括操作端末器を用いてパターン調光を指示すると、複数の負荷Ｌがそれぞれあらかじめ指定されている光出力となるように調光される。
【０００９】
上述のように、パターン制御を行なうためには伝送制御装置３０において一括操作端末器のスイッチのアドレスに複数回路の負荷Ｌのアドレスを対応付けて登録しておく必要があり、この種の設定操作をパターン設定と称している。以下では、一括操作端末器としての操作端末器３１に設けたパターン制御用のスイッチをパターンスイッチと呼び、操作端末器３１に設けた個別制御用のスイッチを個別スイッチＳ0 と呼ぶ。また、グループ制御を行なう設定操作をグループ設定と呼び、一括操作端末器としての操作端末器３１に設けたグループ制御用のスイッチをグループスイッチと呼ぶ。
【００１０】
遠隔監視制御システムは、負荷Ｌを制御する制御モードと、パターン設定やグループ設定を行なう設定モードとの２つの動作モードを有している。つまり、遠隔監視制御システムを動作させると、伝送制御装置３０は、まず通常の制御モードになり、ダミーモードの伝送信号を信号線Ｌｓに送出する。割込信号がなければ、そのままダミーモードによる伝送信号を繰り返して発生する常時ポーリングを行なう。一方、割込信号があると、操作端末器３１を特定して操作端末器３１からの要求を取り込む。ここで、動作モードの変更が要求されていなければ、現状の動作モードを判別した上で、制御モードであれば負荷Ｌを制御し、設定モードであればパターン設定ないしグループ設定を行なう。また、動作モードの変更が要求されているときには、要求内容に応じて動作モードを変更する。
【００１１】
設定モードでパターン設定を行なうには、所望のパターンスイッチを操作し、次に、そのパターンスイッチによる制御対象となる負荷Ｌに対応付けられている個別スイッチＳ0 を操作する。このような手順により個別スイッチＳ0 の操作に応じた負荷Ｌの状態が伝送制御装置３０に関係データとして取り込まれ、１個のパターンスイッチに複数の負荷Ｌの状態が対応付けられるのである。グループ設定に際してもパターン設定とほぼ同様である。なお、各個別スイッチＳ0 と負荷Ｌとの関係は先に設定されていることが前提である。
【００１２】
ところで、この種の遠隔監視制御システムでは、セレクタスイッチと称する装置が用いられることがある。セレクタスイッチは、１台の装置に複数台の操作端末器を設けたものに相当し、５個以上の操作部を備えている。各操作部は専用のアドレス設定器を用いてアドレスを割り付けることによって、個別スイッチ、パターンスイッチ、グループスイッチのいずれにも用いることができるようになっている。また、多数の個別スイッチとパターンスイッチやグループスイッチを１台の装置で持つことができるから、パターンスイッチやグループスイッチに複数の負荷Ｌを対応付けて（個別スイッチにより制御対象となる負荷Ｌを指定することができる）パターン設定やグループ設定を行なうことができるようにしたセレクタスイッチも提供されている。
【００１３】
【発明が解決しようとする課題】
上述のように、従来より提供されているセレクタスイッチは、専用のアドレス設定器を用いることによって各操作部にアドレスを割り付けているから、操作部へのアドレスの設定や変更などのメンテナンスには、セレクタスイッチとは別にアドレス設定器が必要になり不便である。
【００１４】
さらに、セレクタスイッチは比較的大規模な装置であるにもかかわらず、個別スイッチ、パターンスイッチ、グループスイッチなどの操作機能とパターン設定やグループ設定程度の機能しか持たず、とくに調光に関する制御や設定を行なう機能がないから、占有スペースに対する機能が少ないものである。
【００１５】
本発明は上記事由に鑑みて為されたものであり、その目的は、占有スペースが比較的小さいながらも設定・制御・管理などに必要な各種機能を実現することができる多機能な設定操作端末器を用いることによって高機能化し、コストパフォーマンスを高めた遠隔監視制御システムを提供することにある。
【００１６】
【課題を解決するための手段】
請求項１の発明は、スイッチを備えスイッチごとに固有のアドレスが設定される操作端末器と、負荷が接続され負荷ごとに固有のアドレスが設定される制御端末器と、操作端末器および制御端末器を分岐接続した信号線に接続されスイッチと負荷とのアドレスの対応関係を管理し、スイッチが操作されたときに操作端末器から受け取る監視データに基づいて負荷を制御する制御データを生成し、かつ操作されたスイッチに対応付けられた負荷が接続されている制御端末器に対して制御データを伝送する伝送制御装置と、信号線に接続され操作部および表示部を有する設定操作端末器とを備え、設定操作端末器は、文字および図形を表示可能な表示器と、表示器の画面に重ね合わされた透明なタッチパネルと、表示器の表示内容に関連付けてタッチパネルに割り付けた操作部の操作に対する処理内容を設定する設定モードと前記操作部の操作に応答して前記処理内容を実行する操作モードとを選択可能な制御部とを備え、さらに制御部は、前記操作部の操作によりスイッチと負荷との対応関係である関係データを設定し、かつ設定した関係データを分割し関係データを一部ずつ複数回に分けて前記信号線を介して伝送制御装置に転送するものである。
【００１７】
請求項２の発明は、請求項１の発明において、設定操作端末器の器体が大角連用形の配線器具の単位寸法の整数倍に相当する寸法の配線器具を取付可能な取付枠と同じ取付ピッチの取付部を備えた取付片を有し、取付部として少なくとも配線器具用のスイッチボックスに螺合するボックスねじが挿通可能なボックス取付孔を備えるものである。
【００１８】
請求項３の発明は、請求項１または請求項２の発明において、前記制御部が、設定モードにおいて負荷のアドレスに一対一に対応するスイッチのアドレスに相当する個別アドレスを前記操作部に割り付ける機能を有し、操作モードにおいて個別アドレスを割り付けた操作部を操作することにより負荷をオンオフさせる機能を有するものである。
【００１９】
請求項４の発明は、請求項１または請求項２の発明において、前記制御部が、設定モードにおいて負荷の複数のアドレスに一対多に対応するスイッチのアドレスに相当するグループアドレスを前記操作部に割り付ける機能を有し、操作モードにおいてグループアドレスを割り付けた操作部を操作することにより複数の負荷を一括して同じ状態にオンオフさせる機能を有するものである。
【００２０】
請求項５の発明は、請求項１または請求項２の発明において、前記制御部が、設定モードにおいて負荷の複数のアドレスに一対多に対応するスイッチのアドレスに相当するパターンアドレスを前記操作部に割り付ける機能を有し、操作モードにおいてパターンアドレスを割り付けた操作部を操作することにより複数の負荷を個々に指定された状態で一括してオンオフさせる機能を有するものである。
【００２１】
請求項６の発明は、請求項３または請求項４の発明において、前記制御部が、設定モードにおいて操作部のオフ操作から一定の遅れ時間の経過後に負荷をオフにするように操作部に遅れ時間を対応付ける機能を有し、操作モードにおいて当該操作部によるオフ操作から遅れ時間後にオフを指示する監視データを発生する機能を有するものである。
【００２２】
請求項７の発明は、請求項３または請求項４の発明において、前記制御部が、設定モードにおいて操作部のオン操作により負荷をオンにした後から一定の保持時間が経過すると負荷をオフにするように操作部に保持時間を対応付ける機能を有し、操作モードにおいて当該操作部によるオン操作によりオンを指示する監視データを発生し、かつ保持時間の経過後にオフを指示する監視データを発生する機能を有するものである。
【００２３】
請求項８の発明は、請求項１または請求項２の発明において、前記負荷が照明負荷であり、前記制御端末器が照明負荷の調光量が制御可能な調光用制御端末器であって、前記制御部が、設定モードにおいて調光用制御端末器への調光レベルを指示する機能を操作部に割り付け、操作モードにおいて当該操作部の操作により調光用制御端末器による照明負荷の調光量を変化させるものである。
【００２４】
請求項９の発明は、請求項８の発明において、前記制御部が、設定モードにおいて照明負荷の複数のアドレスに一対多に対応するグループ調光アドレスを前記操作部に割り付ける機能を有し、操作モードにおいてグループ調光アドレスを割り付けた操作部を操作することにより複数の照明負荷を一括して同じ調光レベルに制御する機能を有するものである。
【００２５】
請求項１０の発明は、請求項１または請求項２の発明は、前記制御端末器が負荷の動作方向と動作強度との少なくとも一方を制御可能であって、前記制御部が、設定モードにおいて負荷の動作方向と動作強度との少なくとも一方を指示する機能を操作部に割り付け、操作モードにおいて当該操作部の操作により前記制御端末器による負荷の動作方向ないし動作強度を指示するものである。
【００２６】
【発明の実施の形態】
本実施形態の遠隔監視制御システムの構成例を図２に示す。図示する遠隔監視制御システムは、設定操作端末器１1 ，１2 を設けた点が従来構成との主な相違点である。操作側の端末器と制御側の端末器とはアドレスの対応付けを行なってその対応関係である関係テーブルを伝送制御装置３０に登録する点は従来と同様である。このような対応関係を示す関係テーブルは設定操作端末器１を用いて伝送制御装置３０に設定される。ここに、操作側と制御側とで対応付けられているアドレスを同じ値に設定すると対応関係がわかりやすいから、その意味でチャンネルという概念を用い、一対一に対応する操作側と制御側とは同一チャンネルに設定されるものとする。また、一つのチャンネル（アドレス）では負荷番号の指定により４つの負荷Ｌが制御可能となっている。たとえば、「０」チャンネルでは「１」〜「４」の負荷番号を設定した負荷Ｌの制御が可能になる。ここに、「０」チャンネルの負荷番号「１」の負荷Ｌを「０−１」と表すことにする。このようにして設定されるチャンネルと負荷番号との１つの組み合わせに対して、それぞれ操作側の端末器と制御側の端末器とを対応付けることができるのである。
【００２７】
本実施形態では、負荷として白熱灯Ｌ1 、インバータ式の点灯装置を有した蛍光灯Ｌ2 、空調機のファンコイルＬ3 、スピーカＬ4 を備えている。白熱灯Ｌ1 は、灯数に応じた容量の調光用制御端末器（１５００Ｗ、８００Ｗ、５００Ｗ）３３1 〜３３3 により制御される。蛍光灯Ｌ2 は、点灯・消灯を制御するリレーを有した制御端末器３２および光出力を制御する調光用制御端末器３３4 により制御される。調光用制御端末器３３4 は０〜１０Ｖの電圧信号を点灯装置に与え、点灯装置はこの電圧信号により蛍光灯Ｌ2 の調光量を変化させるように構成されている。ファンコイルＬ3 はファンコイル用の制御端末器３３6 により動作強度が強中弱の３段階に制御され、スピーカＬ4 はボリューム用の制御端末器３３7 により音量が制御される。この他の負荷として電動カーテン、電動スクリーン、換気用のファンなどの電動機器も用いることが可能である。
【００２８】
操作側の端末器としては、従来構成と同様のスイッチＳ0 を備えた制御端末器３１、および調光用操作端末器３８1 ，３８2 、接点出力が得られる各種センサを接続する接点入力用の操作端末器（監視端末器の一種）３１1 が設けられる。さらに、ワイヤレス送信器３４ａに操作部を設けワイヤレス受信器３４ｂと組み合わせて用いることによっても操作側の端末器を構成することができる。２台の調光用操作端末器３８1 ，３８2 は主として操作部分の寸法および構造が相違するだけであって（調光用操作端末器３８1 は比較的小さい押釦式のハンドルを有するものであり、調光用操作端末器３８2 は一側縁が枢支された比較的大きいピアノハンドル式のハンドルを有するものである）、基本的な動作については同様のものである。また、信号線Ｌｓを延長するために図示例では信号線Ｌｓに上に中継器（増幅器）３５を挿入して伝送信号を減衰させずに伝送できるようにしてある。設定操作端末器１1 ，１2 は図示例では２台接続してあり、一方の設定操作端末器１1 はカラー表示、他方の設定操作端末器１2 はモノクロ表示になっている。さらに、カラー表示の設定操作端末器１1 には交流２４Ｖの電源がリモコントランス（後述する）３６から供給されている。表示がカラーかモノクロかは実質的機能ではほとんど差異がないから、以下では両者を区別せず設定操作端末器１として説明する。
【００２９】
まず、関係データの設定手順について説明する。この設定手順は、関係データの転送を開始する前処理、関係データを実際に転送する転送処理、関係データの転送を終了する後処理の３段階に分けることができる。伝送制御装置３０は動作を開始すると、まず、関係データの転送を行なっていないことを示すために転送状態を「転送なし」に設定する。つまり、従来構成において負荷Ｌを制御する動作モードと同様の状態になり、ダミーモードの伝送信号を信号線Ｌｓに繰り返し送出することになる。この間に割込信号が発生しなければ、データ転送中か否かを判断し、データ転送中でなければそのままダミーモードによる伝送信号を繰り返して発生する常時ポーリングを行なう。
【００３０】
一方、前処理では、関係データを伝送制御装置３０に転送しようとする端末器が割込信号を発生するから、割込信号が検出される。割込信号が検出されると、端末器を特定して割込要求を判別する。この処理は負荷Ｌを制御する場合と同様である。関係データを転送する際には、伝送制御装置３０に対して設定操作端末器１からデータ転送要求があるから、関係データの転送中であることを示すために転送状態を「転送あり」に設定する。なお、データ転送要求がなければ、通常の負荷Ｌの制御を意味するから要求に応じて負荷Ｌを制御する。
【００３１】
伝送制御装置３０と設定操作端末器１との間の信号の授受は、以下のように行なわれる。すなわち、設定操作端末器１が割込信号を発生し、これに対して伝送制御装置３０は割込フラグを設定して割込ポーリングを行ない、設定操作端末器１からアドレスの返信を待つ。伝送制御装置３０は設定操作端末器１のアドレスを獲得すると設定操作端末器１からの要求内容を監視する。設定操作端末器１では伝送制御装置３０からの要求内容の監視に対して関係データの受信を要求し、要求内容を受け取った伝送制御装置３０は割込フラグを解除する。また、伝送制御装置３０では、関係データを授受するために関係データを格納する２５６バイトのアドレス領域を確保する。なお、２５６バイトを１ページと呼んで単位化しており、アドレス領域の１ページを確保することになる。こうして１ページのアドレス領域を確保すると、関係データの登録のためのアドレス領域を設定操作端末器１に通知し、関係データの送信開始を指示する。送信を指示した後には設定操作端末器１からの関係データの転送状態を監視し、設定操作端末器１において関係データの転送が可能である（つまり、「転送あり」である）旨の通知が返送されると、転送処理に移行する。
【００３２】
転送処理では、伝送制御装置３０に設定操作端末器１からの関係データが転送される。ここで、関係データが１回で伝送できない程度の量であれば一部だけが転送され、関係データの転送が終了していなければ、端末器から割込信号が再び発生し、上述の処理を繰り返して関係データの転送を行なう。
【００３３】
具体的には、伝送制御装置３０は設定操作端末器１から何バイトのデータが送信されてくるのかを監視し、バイトカウンタを返信させる。その後、関係データの監視を行ない、設定操作端末器１からバイトカウンタで指定されたバイト数の関係データを転送させる。ここで、関係データは一度で全部を転送するのではなく複数に分割され、バイトカウンタで指定されたバイト数の関係データの転送が終了するまで、設定操作端末器１から伝送制御装置３０への転送が繰り返される。最後に、伝送制御装置３０から設定操作端末器１に対して関係データのチェックサムを要求し、チェックサムが返信されると、伝送誤りの有無を検出する。なお、関係データは、パターン制御の各パターンを区別するパターン番号あるいはグループ制御の各グループを区別するグループ番号、制御対象となる負荷Ｌのアドレスおよび制御内容を含むものである。このようにして設定操作端末器１から伝送制御装置３０に対して分割して転送された関係データの内容に従って、伝送制御装置３０ではパターン制御やグループ制御の関係テーブルを登録するのである。
【００３４】
後処理は、転送状態を「転送なし」に設定する処理であって、伝送制御装置３０では関係データの設定が完了した後に、端末器の転送状態を監視し、転送が完了したことを確認する。その後、データ送信終了指示を送出して、関係データの転送に関するすべての処理が完了したことを設定操作端末器１に通知する。
【００３５】
上述のような手順によって、負荷Ｌの制御が可能な状態において負荷Ｌへの制御データを生成していない空き時間に、パターン制御やグループ制御のための関係データを設定操作端末器１から伝送制御装置３０に転送することができるのである。
【００３６】
上述したように本実施形態では、関係データを分割し、設定操作端末器１から伝送制御装置３０に複数回で関係データを転送している。これは、１回で同じ容量の関係データを転送すると転送処理の時間が長くなり、負荷Ｌを通常に制御できない期間が生じる可能性があるからであって、上述のように負荷Ｌの制御のために用いられていない空き時間を利用するように関係データを分割して転送することにより、負荷Ｌを制御できない期間を生じることなく関係データを転送することができる。また、関係データを分割して転送するために、伝送制御装置３０では、転送状態に関するデータを保持するのであって、「転送あり」か「転送なし」かによって、未転送の関係データが残っているか否かを認識することができるのである。その結果、転送状態が「転送あり」である期間に、負荷Ｌの制御が要求されたときには、負荷Ｌの制御を関係データの転送に優先して処理し、負荷Ｌの制御を処理した後に、再び関係データの転送を継続することで、負荷Ｌの制御を妨げることなく関係データを転送することができるのである。
【００３７】
次に、設定操作端末器１の構成を説明する。設定操作端末器１は、図１に示すように、液晶表示器よりなる表示器にバックライトを一体化した液晶部１１と、液晶部１１の画面に重ねて配置された透明なタッチパネル１２とを備える。液晶部１１には多数個の画素を縦横にマトリクス状に配列したマトリクス表示型のものを用い、画素の組み合わせによって図形を表示するようになっている。タッチパネル１２は、透明なシート状部材に透明電極よりなる接点部を多数個配列し、シート状部材に指などを触れるとどの部位に触れたかを出力する抵抗感圧方式のものである。
【００３８】
また、設定操作端末器１は、伝送制御装置３０に接続された信号線Ｌｓに接続されて伝送信号を授受するための送受信回路２１を備え、送受信回路２１は伝送処理部と制御部とに兼用されるメインマイコン２０に接続される。メインマイコン２０はフラッシュメモリ２２に書き込まれたプログラムおよびデータに従って動作する。フラッシュメモリ２２の少なくとも一部には端末器としてのアドレスや端末器の機能を決定するための機能データが書き込まる。さらに、フラッシュメモリ２２には各種メッセージやシンボルなどシステム側で用意しているデータも格納される。
【００３９】
メインマイコン２０は、液晶部１１の表示内容を指示するデータをラッチ回路２３を通して液晶コントローラ２４に引き渡す。液晶コントローラ２４はＤＲＡＭ２５にあらかじめ登録してあるデータを用いて液晶部１１の所定位置に所定内容を表示する。ＤＲＡＭ２５の内容はユーザが設定可能であって、メインマイコン２０を設定モードとしてタッチパネル１２を用いて設定した内容をＤＲＡＭ２５に蓄積し、メインマイコン２０を操作モードとしてタッチパネル１２を操作するとＤＲＡＭ２５に蓄積されているデータを用いて液晶部１１の表示内容が設定される。液晶部１１のコントラストやバックライトの明るさは、メインマイコン２０を通してコントラスト調整部２６やバックライト用インバータ回路２７を制御することによって調節される。さらに、メインマイコン２０にはブザー２８が接続され、タッチパネル１２の所定領域に触れた場合や誤操作の場合にはブザー２８を鳴動させて入力を受け付けたことや誤操作があったことを音で報知することができる。ここに、入力の受付と誤操作とは異なる音に設定しておくのが望ましい。
【００４０】
設定操作端末器１は、液晶部１１にバックライトを備えるなど、比較的大きい電力を必要とするから、内部電源を信号線Ｌｓから得るのではなく、別途に給電される交流２４Ｖを電源回路２９で整流し電圧安定化することによって内部電源を得ている。電源回路２９に供給される交流２４Ｖは、伝送制御装置３０とともに分電盤内などに配置されるリモコントランスから得られる。リモコントランスは、リモコンリレー（伝送信号によらずに別に設けたスイッチによってオンオフが可能なリレー）を用いる場合にリモコンリレーに給電するために従来より設けられているものである。このリモコントランスから出力される交流２４Ｖを設定操作端末器１に供給することで、設定操作端末器１には交流１００Ｖなどの商用電源から直接に内部電源を得る必要がなく、電源トランスや大型の平滑コンデンサが不要になる。内部電源としては、５Ｖ、１２Ｖ、２０Ｖなどの電圧を用いるが、２４Ｖからの降圧であるから必要個数の電圧安定化回路を設ける程度の簡単な構成で目的の電圧を得ることができる。
【００４１】
ところで、上述した設定操作端末器１は、図３ないし図１０に示す構造を有する。すなわち、設定操作端末器１の器体は、液晶部１１およびタッチパネル１２を備える操作表示ユニット２と、その他の回路部分を収納する本体ユニット３とを着脱自在に結合して構成される。
【００４２】
操作表示ユニット２は、前面（図３の上面）が開口した前ボディ４１と、前ボディ４１の内底面に立設されたボス４１ａに載置されるパネル状の液晶部１１と、液晶部１１の前面側に積層されるシート状のタッチパネル１２とを備える。タッチパネル１２の前面側には矩形枠状の中プレート４２が重ね合わされ、液晶部１１の表示領域は中プレート４２の開口窓４２ａを通して前面側に露出する。さらに、中プレート４２の前面には矩形枠状の化粧プレート４３が積層される。前ボディ４１、中プレート４２、化粧プレート４３は絶縁材料である合成樹脂の成形品である。また、タッチパネル１２は指など押すないし触れることによって操作されるものであるから、貼り替え可能な透明な保護シート１３をタッチパネル１２の表面に積層してある。このような保護シート１３によって指跡が付きにくくなり、また指跡が付いたり埃などによって汚れたときには保護シート１３を貼り替えることによってメンテナンスを容易にすることができる。
【００４３】
前ボディ４１と中プレート４２とは、前ボディ４１の後面側からボス４１ａを通して挿入される皿小ねじ４４を中プレート４２に螺合させることによって結合される。また、前ボディ４１の周壁前縁には、６個の浮き上がり防止突片４１ｂが突設される。浮き上がり防止突片４１ｂは先端部が広幅となる形状に形成され、中プレート４２の周部に形成した引掛用切欠４２ｂに係合する。このように浮き上がり防止突片４１ｂと引掛用切欠４２ｂとが係合することにより、前ボディ４１からの中プレート４２の浮き上がりが防止され、中プレート４２の反りなどによって前ボディ４１と中プレート４２との間に隙間ができるのを防止することができる。浮き上がり防止突片４１ｂおよび引掛用切欠４２ｂの位置は非対称となるように配置され、前ボディ４１と中プレート４２との組違いを防止してある。
【００４４】
また、化粧プレート４３は、図４に破線で示すように、シート状ないしテープ状の両面接合材９を用いて中プレート４２の前面に貼着される。液晶部１１およびタッチパネル１２は前ボディ４１と中プレート４２との間に挟持されるのであって、液晶部１１およびタッチパネル１２は皿小ねじ４４の通る位置決め部１１ｂ，１２ｂを非対称な位置に設けることによって、組違いを防止してある。
【００４５】
ここに、中プレート４２の下部には下端縁に沿う方向に突出した軸ピン４９ａを有するネーム板４９が取り付けられ、このネーム板４９は、中プレート４２の下部に設けた第１の記入部４９ｂ（図６参照）に対向する位置と、第１の記入部４９ｂを開放する位置との間で開閉自在になるように軸ピン４９ａによって中プレート４２に軸支される。また、ネーム板４９において第１の記入部４９ｂとの対向面は第２の記入部４９ｃ（図６参照）となり、ネーム板４９における他面は第３の記入部４９ｄとなる。第１ないし第３の記入部４９ｂ〜４９ｄには負荷の関連情報を表記することができるようになっている。第１ないし第３の記入部４９ｂ〜４９ｄの表記内容は操作対象となる負荷の種類や用途などを示す文字（「リビング」、「寝室」、「風呂」など）が一般的であるが、常時は表面側となっている第３の記入部４９ｄには基本的に負荷の使用状況を示すシーン名（「食事」、「就寝」など）が表記される。また、中プレート４２の下部右端部には図６のように設定スイッチＳＷの操作部が設けられる。設定スイッチＳＷの操作部はネーム板４９を閉じると図４のようにネーム板４９により覆われる。
【００４６】
前ボディ４１の内底面には回路収納凹所４１ｃが形成され、バックライト用インバータ回路２７を実装したプリント基板４５ａと、本体ユニット３に接続するための電線であるフラットケーブル４に液晶部１１やタッチパネル１２を接続するためのコネクタ４６ａ，４６ｂを実装したプリント基板４５ｂとが収納される。フラットケーブル４は、前ボディ４１の回路収納凹所４１ｃの底面に形成した開口部４１ｄを通して前ボディ４１の後面側に引き出される。プリント基板４５ａ，４５ｂは前ボディ４１の内底面に形成されたボス４１ｅを通して挿入されるナイロンリベット４７により前ボディ４１に固定される。液晶部１１のバックライト用のケーブル１１ｃはプリント基板４５ａに設けたコネクタ４６ｃに接続され、プリント基板４５ａに設けた他方のコネクタ４６ｄにはプリント基板４５ｂからのケーブル１１ｄが接続される。また、液晶部１１の液晶表示器はプリント基板４５ｂに実装したコネクタ４６ａに接続される。タッチパネル１２はテープ電線（フレキシブル基板）１２ａを有し、テープ電線１２ａの先端部がプリント基板４５ｂに実装したコネクタ４６ｂに接続される。
【００４７】
前ボディ４１の底壁であって回路収納凹所４１ｃよりも上方には、係合凹所として機能する左右２個の係合窓４１ｆが形成されている。各係合窓４１ｆの上縁両端部には、係合窓４１ｆ内に突出する脱落防止片５ａが設けられる。また、前ボディ４１において回路収納凹所４１ｃよりも下方の後面には、図８に示すように、左右３箇所（つまり、左右両端部と中間部）に引掛片４１ｇが突設される。引掛片４１ｇの先端部には上向きのフックが形成されている。
【００４８】
本体ユニット３は、図３に示すように、前面開放された枠本体５１ａの前端部の上下にそれぞれ取付片５１ｂ，５１ｃを連続一体に突設した形状の取付枠５１と、枠本体５１ａの後面に結合される後ボディ５２とを備え、枠本体５１ａと後ボディ５２との間に形成される空間には、回路部を実装した２枚のプリント基板５３ａ，５３ｂが収納される。ここに、プリント基板５３ａには図１における送受信回路２１および電源回路２９が実装され、プリント基板５３ｂには図１において送受信回路２１と電源回路２９と操作表示ユニット２に内蔵した回路部とを除く回路部分が実装される。また、両プリント基板５３ａ，５３ｂはテープ電線５３ｃを用いて互いに接続されている。
【００４９】
プリント基板５３ａは信号線Ｌｓやリモコントランスに接続されるから、外部電線を接続するための端子を有しており、この端子には速結端子構造を有した端子ブロック５４が用いられる。端子ブロック５４は、端子板および端子板の一部に対向する鎖錠ばね（板ばねを曲成したもの）をケース内に備え、ケースに設けた電線挿入口を通して挿入される電線を鎖錠ばねのばね力により端子板との間に挟持するものである。また、外部電線を保持した状態では鎖錠ばねの端縁が外部電線に食い込むことによって外部電線を抜け止めしているが、ケース内に設けた解除釦を操作することで、鎖錠ばねを外部電線から引き離すと外部電線を引き抜くことができるように構成されている。この種の速結端子構造は周知のものであって、端子板、鎖錠ばね、解除釦をケースに所要個数（ここでは４線接続用のものを用いている）収納することにより１部品として扱うことができるようにしてある。このような端子ブロック５４を２個設けてそれぞれ信号用と電源用とに用いてある。端子ブロック５４は後ボディ５２の後壁の左右上端部に設けた露出窓５２ａに臨んで配置され、後ボディ５２の後面側から外部電線が接続されるようになっている。端子ブロック５４に接続された外部電線を外すには解除釦を前方に押し込みながら外部電線を引き抜くことになる。なお、プリント基板５３ａは、後ボディ５２の内底面に突設したボス５２ｂを通して後ボディ５２の後面側から挿入されるナイロンリベット５５を用いて後ボディ５２に固定される。
【００５０】
一方、プリント基板５３ｂの前面にはフラットケーブル４の一端部に設けたコネクタ４ａに着脱自在に結合されるコネクタ４ｂが実装されている。このプリント基板５３ｂはタッピングねじ５６により取付枠５１に結合される。また、図７に示すように、コネクタ４ａ，４ｂの接続部位には前面側に覆い板５７が覆着される。覆い板５７はタッピングねじ５７ａを用いて取付枠５１に固定される。取付枠５１には音響出力手段としてのブザー２８が保持される。ブザー２８は取付枠５１の後面に突設した一対の爪５１ｄ（図１０参照）により取付枠５１に保持される。取付枠５１の底壁においてブザー２８に対応する部位には、ブザー２８の鳴動音を前方に送出するための多数の小孔５１ｅが形成されている。
【００５１】
上述のようにしてプリント基板５３ａ、５３ｂをそれぞれ保持した取付枠５１と後ボディ５２とは、後ボディ５２の前面側に突設した結合爪５２ｃを取付枠５１の周部に設けた結合孔５１ｆに係合させるとともに、図５のように、後ボディ５２を通して取付枠５１に螺合するタッピングねじ５８を用いて結合される。
【００５２】
ところで、各取付片５１ｂ，５１ｃにはボックス取付孔５９ａと、枢支孔５９ｂと、直付け孔５９ｃとの３種類の孔が形成されている。ボックス取付孔５９ａは配線器具の施工に用いるスイッチボックスに螺合するボックスねじを挿通することができる孔であって、コンクリート壁のようにスイッチボックスを壁に埋め込んで施工する場合には、ボックス取付孔５９ａを用いて取付枠５１を壁に固定することになる。また、枢支孔５９は挟み金具と称する部材の一端部を引掛けて枢支するものであり、取付片５１ｂ，５１ｃを通して挿入される引締めねじを挟み金具に螺合させ、その螺合量を変化させることによって挟み金具の他端部と取付片５１ｂ，５１ｃとの距離が変化するようにしてある。つまり、壁パネルに取り付けるときには、壁に固定用の孔を形成し、壁の前面側に取付片５１ｂ，５１ｃを当接させるとともに壁パネルの後面側に挟み金具を当接させ、引締めねじを締め付けると、取付片５１ｂ，５１ｃと挟み金具との間に壁パネルが挟持されることによって、取付枠５１を壁に固定することができるものである。さらに、直付け孔５９ｃは木製の壁のように木ねじを螺合させることができる壁の場合に、直付け孔５９ｃを通して木ねじを壁に螺合させることによって取付枠５１を壁に固定するものである。
【００５３】
上述したように、後ボディ５２との間にプリント基板５３ａ，５３ｂを収納する枠本体５１ａと、壁面等に固定するための取付片５１ｂ，５１ｃとを連続一体に形成しているものであるから、壁面等に施工するための別途の取付具を必要とせず、部品点数の削減になるものである。
【００５４】
ここにおいて、取付片５１ｂ，５１ｃにおけるボックス取付孔５９ａのピッチはＪＩＳ規格に規定されている大角連用形の配線器具に用いる取付枠を３個並設した３連用の取付枠と同じ寸法に設定されている。また、本体ユニット３は、３個モジュールの配線器具を３個並設した３連モジュール寸法に相当する寸法を有している。したがって、配線器具用の施工部材を流用して施工することができるのであって、専用の施工部材を新たに製造する必要がなく、また施工方法の教育もほとんど不要である。
【００５５】
上側の取付片５１ｂの上縁部の４箇所には操作表示ユニット２に設けた脱落防止片５ａに対応する部位で後面を凹没させた形状の係止部６が形成されている。しかして、図８のように、操作表示ユニット２に設けた係合窓４１ｆに取付片５１ｂを挿入して係止部６の後面に脱落防止片５ａを当接させるようにすれば、取付片５１ｂの上面が操作表示ユニット２の内側面に当接して操作表示ユニット２の下方への移動を禁止するとともに、脱落防止片５ａが係止部６に係合して操作表示ユニット２の前方への移動も禁止されることになる。つまり、壁に固定した本体ユニット３に操作表示ユニット２を結合することができる。
【００５６】
さらに、下側の取付片５１ｃの左右方向の中間部には引掛孔７ａが形成され、取付片５１ｃの左右両端部には引掛切欠７ｂが形成されている。引掛孔７ａおよび引掛切欠７ｂには、それぞれ操作表示ユニット２に設けた引掛片４１ｇが係止され、操作表示ユニット２の本体ユニット３に対する結合強度を大きくしてある。このように、本体ユニット３と操作表示ユニット２とを上下７箇所で結合してあり、上部の結合個所からのみでも操作表示ユニット２が本体ユニット３から脱落しないようにしてあるから、操作表示ユニット２を本体ユニット３から外す際に、下部の結合個所を外しても操作表示ユニット２が脱落することがないのである。
【００５７】
ところで、操作表示ユニット２と本体ユニット３との間には、図７に示すように、輪状となった左右２本の落下防止紐８が掛け回されている。操作表示ユニット２にはフック状の掛止め部２ａが形成され、本体ユニット３には環状の挿通部３ａが形成されており、挿通部３ａに挿通されている落下防止紐８を掛止め部２ａに引掛けることによって落下防止紐８が操作表示ユニット２と本体ユニット３とを結ぶようになっている。したがって、掛止め部２ａから落下防止紐８を外せば操作表示ユニット２を本体ユニット３から外すことができる。また、落下防止紐８はフラットケーブル４よりも短く形成され、落下防止紐８が取り付けられている状態で操作表示ユニット２を本体ユニット３から外したときに、フラッットケーブル４が延びきらないようにしてある。つまり、フラットケーブル４に張力が作用するのを防止し、ひいてはコネクタ４ａ，４ｂなどの破損を防止することができる。
【００５８】
一方、本体ユニット３の取付枠５１の前面には、図７のように操作表示ユニット２を本体ユニット３に結合したときにフラットケーブル４の一部を収納するための逃がし凹所３ｂが形成され、この逃がし凹所３ｂにフラットケーブル４を収納することによって、操作表示ユニット２が本体ユニット３から浮き上がらないようにしてある。
【００５９】
ところで、設定操作端末器１を用いた遠隔監視制御システムは、上述のように、白熱灯Ｌ1 ，蛍光灯Ｌ2 、ファンコイルＬ3 、スピーカＬ4 などの各種の負荷を含み、負荷のオンオフだけではなく、白熱灯Ｌ1 や蛍光灯Ｌ2 では調光を可能とし、ファンコイルＬ3 やスピーカＬ4 では出力の調節が可能になっている。これらの制御には操作側において操作部と表示部とが必要であって、設定操作端末器１では、液晶部１１を表示部とし、液晶部１１に表示される図形ないし文字とタッチパネル１２との組み合わせにより操作部を構成している。
【００６０】
ここで、すべての制御対象の表示部および操作部の内容を液晶部１１の一画面内に収めると、液晶部１１として大きな画面を有するものが必要になり、高価になるとともに全体が大型化することになる。そこで、液晶部１１の一画面当たりの表示量は比較的少なくし、画面の表示内容を切り換えることによって多数の負荷に対する表示部および操作部の内容を液晶部１１に表示できるようにしてある。つまり、液晶部１１の表示内容に連動させてタッチパネル１２の操作内容の解釈を変更している。
【００６１】
液晶部１１の画面の左列には、図１１に示すように、画面を切り換えるための５個の釦Ｓ1 〜Ｓ5 が表示される。これらの釦Ｓ1 〜Ｓ5 は、画面の切換にかかわらず常時表示される。釦Ｓ1 〜Ｓ5 は上から順にパターン制御用（パターン）、グループ制御用（グループ）、照明負荷制御用（調光／個別）、照明負荷制御用（調光／個別）、電動カーテン・ファンコイルユニットなどの制御用（電動その他）として設けられている。つまり、これらの釦Ｓ1 〜Ｓ5 に対応する領域でタッチパネル１２に触れる（押す）ことによって、各制御に対応した画面に切り換えられる。また、どの画面が選択されているかは、各釦Ｓ1 〜Ｓ5 の横にマークＭが表示されることによって知ることができる。照明負荷制御用の釦Ｓ3 ，Ｓ4 が２個設けられているのは、他の制御対象に比較して照明負荷がもっとも多いからである。
【００６２】
しかして、まず、上述した設定操作端末器１を用いて負荷を制御する場合について簡単に説明する。照明負荷（白熱灯ないし蛍光灯）の点灯・消灯や調光の制御には、図１２のような画面が表示される。照明負荷の点灯・消灯は１個の操作部で制御することができるが、調光は照明負荷の光出力の増加を指示するアップ操作部と減少を指示するダウン操作部と点灯・消灯を指示するオンオフ操作部とが操作部として必要であり、さらに光出力に応じたレベル表示を行なうレベル表示部と点灯・消灯を示す点灯・消灯表示部とが必要である。オンオフ操作部と点灯・消灯表示部とは照明負荷の点灯・消灯のみを行なう場合にも用いることができる。つまり、調光用の操作部と表示部とがあれば、点灯・消灯のみの操作部および表示部に兼用することができる。したがって、照明負荷用の操作部として、アップ操作釦Ｓ11、ダウン操作釦Ｓ12、オンオフ操作釦Ｓ13が設けられ、表示部として点灯・消灯表示部Ｄ11と、バー表示によるレベル表示部Ｄ12とが設けられる。点灯・消灯表示部Ｄ11はオンオフ操作釦Ｓ13に重ねて設けられ、照明負荷の状態に応じて「ＯＮ」「ＯＦＦ」の文字が選択的に表示される。照明負荷の点灯・消灯のみを指示する場合には、アップ操作釦Ｓ11、ダウン操作釦Ｓ12、レベル表示部Ｄ12は表示されず、オンオフ操作釦Ｓ13と点灯・消灯表示部Ｄ11とが表示される。また、点灯・消灯表示部Ｄ11としてはシンボルを用いてもよい。
【００６３】
ファンコイルのような電動機器の制御やスピーカの音量調整などを行なうときには、「電動その他」の釦Ｓ5 に触れると、図１３のような画面が表示される。いま、負荷としてスピーカ、ファンコイル、電動カーテンがあるものとする。スピーカについては音量の切換段階に応じた個数の操作部と、スピーカのオン・オフを指示する操作部とが設けられる。また、ファンコイルには能力を段階的に変えることができるものと運転・停止だけを指示できるものとを用いるとすれば、能力を段階的に変えるものは切り換える段階に応じた個数の操作部と、運転・停止を指示する操作部とが設けられ、運転・停止のみを指示する場合には運転・停止の指示を行なう操作部が設けられる。さらに、電動カーテンの開閉には、開動作の指示と、閉動作の指示と、動作の停止とを指示する操作部が設けられる。また、これらの負荷の運転と停止との状態の表示が必要であれば画面上にシンボルなどを用いて表示する。
【００６４】
さらに詳しく説明する。電動カーテンに対する操作部としては、「開」「停」「閉」の操作釦Ｓ21〜Ｓ23を設け、開閉の状態を示す表示部としてシンボルＤ21を設けている。このシンボルＤ21は、電動カーテンの開閉の状態に応じて変化する。
【００６５】
電動カーテンが定位置に達しているか否かはリミットスイッチなどを用いて検出し、電動カーテン用の制御端末器（図示せず）からの検出結果を監視データとして送出することにより設定操作端末器では電動カーテンの開閉状態を知ることができる。また、電動カーテンの開閉は、開閉の操作釦Ｓ21，Ｓ22によって指示すると開閉の動作を開始し、停止の指示がなされるまで動作を継続するという形で行なわれ、また停止の指示がなくてもリミットスイッチで停止位置が検出されると自動的に停止する。要するに、電動カーテン用の制御端末器では設定操作端末器１からの指示により動作の開始または停止と動作方向（モータの回転方向）とを制御データとして受け取ることで電動カーテンを制御し、リミットスイッチなどによる位置検出を行なって監視データとして返送する。
【００６６】
ファンコイルに対する操作部としては、能力の切換段数に応じた「強」「中」「弱」の操作釦Ｓ31〜Ｓ33と、運転・停止を指示する操作釦Ｓ34とが設けられる。表示部は操作釦Ｓ34と兼用され、シンボルを操作釦Ｓ34の位置に表示することによって運転と停止とを示す。
【００６７】
また、スピーカの音量に対する操作部としては、音量の切換段数に応じた「１」「２」「３」の操作釦Ｓ35〜Ｓ37と、オン・オフを指示する操作釦Ｓ38とが設けられ、ファンコイルと同様に操作釦Ｓ38にシンボルを表示することにより運転と停止とを示す。ここに、操作釦Ｓ31〜Ｓ33，Ｓ35〜Ｓ37は、その操作釦Ｓ31〜Ｓ33，Ｓ35〜Ｓ37が選択されたときに反転表示され、制御対象の動作強度（能力や音量）としてどの段階が選択されているかがわかるようにしてある。
【００６８】
ところで、設定操作端末器１では制御対象のグループ制御が可能であり、グループ制御を行なうにはどの制御対象を一括して制御するかを指定する必要がある。また、設定操作端末器１では制御対象のパターン制御も可能であり、パターン制御を行なうにはどの制御対象をどのような制御状態に設定するかを指定する必要がある。
【００６９】
グループ制御やパターン制御における制御対象や制御状態の設定については後述する。グループ制御の設定がすでになされている場合には、釦Ｓ2 に触れることによって図１２に示した「調光／個別」と同様の画面が表示される。この画面では、表示された操作部を操作すると、複数個の制御対象が一括して同じ制御状態に制御されることになる。したがって、複数の照明負荷のオンオフや光出力の増減を一括して制御したい場合などにはグループ制御あるいはグループ調光を行なうことになる。さらに、液晶部１１の画面上にはマスタフェーダＳ8 ，Ｓ9 がバー表示によるレベル表示部Ｄ1 とともに表示され、マスタフェーダＳ8 ，Ｓ9 を用いると、全照明負荷の光出力を増減させるグループ調光が可能になる。マスタフェーダＳ8 ，Ｓ9 は「調光／個別」や「電動その他」の画面でも表示される。
【００７０】
一方、パターン制御の設定がすでになされている場合には、シーン（パターン制御は室内の利用の仕方に応じて選択されるから、室内の利用場面ごとにパターン制御の内容を対応付けるのであり、その意味でシーンという用語をパターン制御を意味するものとして用いる）に対応する釦Ｓ1 を操作すると、図１１のように、液晶部１１の画面の下部に操作釦Ｓ41〜Ｓ44が表示される。各操作釦Ｓ41〜Ｓ44は各シーンに対応付けられており、所望のシーンに対応した操作釦Ｓ41〜Ｓ44に対応する領域に触れると、あらかじめ指定されている制御対象がそのシーンに応じた制御状態に制御されるのである。
【００７１】
上述した各操作部（釦ないし操作釦）やシンボルなどの表示は、設定操作端末器から各種の制御端末器３２への指示を与えた後に伝送制御装置３０から返送される制御データの内容に応じて設定操作端末器１の内部処理によって変化する。
【００７２】
上述したように、設定操作端末器では各種の制御対象の制御内容を指示することができ、またグループ制御やパターン制御が可能であるから、各制御対象と操作部とを対応付けるための設定や、グループ制御やパターン制御での制御対象ないし制御状態を対応付けるための設定を行なう必要がある。そこで、制御対象への指示操作のための設定スイッチＳＷが設けられている。釦Ｓ1 〜Ｓ5 のいずれかを選択した状態で設定スイッチＳＷを押操作すると、釦Ｓ1 ，Ｓ2 が選択されているときにはパターン制御やグループ制御の内容を設定することが可能になり、釦Ｓ3 〜Ｓ5 が選択されているときには各制御対象への操作部の対応付けが可能になる。
【００７３】
以下では、設定スイッチＳＷを３秒以上押し続けることによって設定モードに移行した後の動作について説明する。設定モードの初期画面は、図１４に示すように何を設定するかを選択する画面になる。本実施形態では、「初期設定」、「アドレス設定」、「負荷シンボル設定」、「パターン・グループ設定」、「操作ロック設定」、「画面清掃モード」が選択可能になっている。どの設定を行なうかは、操作部としての釦Ｓ71〜Ｓ76を押す（触れる）ことで選択する。このように画面上に重ねたタッチパネル１を用いて各種設定を行なうから、設定操作端末器１を壁から外すことなく各種設定が可能になる。なお、以下の画面の説明では、各画面で操作に必要な釦以外については符号を省略するが、図１１ないし図１３に示した符号と基本的には同様である。
【００７４】
図１４示すように、設定モードにおける各種設定の選択画面では、画面の右に「通常」と表示された釦Ｓ61が設けられ、この釦Ｓ61を押すと、制御モードで釦Ｓ1 〜Ｓ5 のみが表示された画面に移行する。
【００７５】
図１４に示す画面で、「初期設定」を選択すると、画面の明るさやブザー２８の音量のような設定操作端末器１の基本動作の設定が可能になる。具体的には「コントラスト設定」、「画面消灯設定」、「操作音設定」、「画面自動点灯設定」の各設定を選択することが可能であり、それぞれ、液晶部１１の画面のコントラストの調節、操作入力がなくなってから画面が消えるまでの時間、各釦を押したときに操作音を発生するか否か、画面が表示されていない状態において負荷Ｌの動作状態の変化に伴ってそれを示す画面を表示するか否かの設定が可能になっている。
【００７６】
図１４の画面で「アドレス設定」が選択されると、図１５に示すように、端末器としてのアドレスの設定ないし確認が可能になる。ここで、釦Ｓ1 〜Ｓ5 を選択して押すと、図１６、図１８、図２０、図２３のように４個の操作釦Ｓ41〜Ｓ44のみが有効な操作部として表示される。つまり、個別スイッチにおいて１チャンネル当たり４個のスイッチを設けていることに対応して４個の操作釦Ｓ41〜Ｓ44が有効な操作部として表示されるのである。
【００７７】
いま、図１５の画面において「パターン」の釦Ｓ1 を選択したとすると、パターン設定を行なうことになるから図１６の画面に移行する。図１６の画面の右には「通常」の釦Ｓ61のほかに「戻る」という釦Ｓ62が表示され、この釦Ｓ62を押操作すると、一つ前の画面に戻ることになる。図１５や図１６の画面において、いずれかの操作釦Ｓ41〜Ｓ44を選択すると、図１７のようにアドレスや端末器の機能を設定するための操作部が表示された画面に移行し、図１６の画面で選択した操作釦Ｓ41〜Ｓ44に対応するアドレスや機能が設定可能になる。たとえば、操作釦Ｓ41を押すと操作釦Ｓ41の表示状態が変化して操作釦Ｓ41が選択されたことが示され、この状態で操作釦Ｓ41にすでにパターン制御用のアドレス（パターンアドレス）が設定されていれば、ボックスＢ1 の中にその値が表示される。また、パターンアドレスが設定されていないときには、数字キーによりパターンアドレスを設定することができる。すでに設定されているパターンアドレスを変更するときには、「クリアー」の釦を押して前の設定値を消去した後に数字キーによりパターンアドレスを入力する。図１７はパターンアドレスを「Ｐ１」に設定した状態を示す。図１７に示す画面では右に「設定」の釦Ｓ63が表示され、操作釦Ｓ41〜Ｓ44にパターンアドレスを設定した後に釦Ｓ63を押操作することで、操作釦Ｓ41〜Ｓ44に対するパターンアドレスが確定する。
【００７８】
グループ制御用のアドレス（グループアドレス）や調光／個別制御用のアドレス（調光／個別制御アドレス）や電動機器などの制御用のアドレス（電動その他アドレス）を設定する場合も同様であって、グループ設定では図１８の画面から図１９の画面に移行し、調光／個別の設定では図２０の画面から図２１の画面に移行し、電動その他の設定では図２３の画面から図２４の画面に移行する。図１９、図２１、図２４の各画面ではそれぞれグループ制御、調光／個別制御、電動機器等の制御に適した設定用の釦が表示される。とくに、電動機器等の制御では、照明負荷以外の負荷を選択する必要があるから、これらはシンボルにより表示されることになる。図２４の画面では負荷の種類を選択する「負荷選択」の釦Ｓ64も表示される。
【００７９】
グループ制御用のアドレスを設定する図１８の画面では、釦Ｓ61，Ｓ62に加えて調光レベルを一括して制御するか否かを指示する「グループ調光」の釦Ｓ65が右下に表示される。この釦Ｓ65を押せば、グループ制御において調光レベルを一括して制御するように設定することができる。操作釦Ｓ41〜Ｓ44を選択した後の操作はパターンアドレスの場合と同様であって、図１９に示すようなグループ制御に適した設定用の釦が表示される。図１９に示す画面では、負荷をオンにする操作から一定時間だけ負荷を動作させる一時点灯（この場合の負荷は通常は照明負荷になる）、負荷をオフにする操作から一定時間後に負荷を停止させる遅れ消灯が選択可能であって、これらの制御の際の時間は複数段階に設定可能になっている。具体的には、一時点灯（「一時」の釦）では３０秒、１分、５分、１時間、２時間の５段階、遅れ消灯（「遅れ」の釦）では３０秒、１分、５分の３段階が選択可能になっている。設定誤りがあれば「クリアー」の釦を押せばよく、一時点灯や遅れ消灯のようなタイマ制御を解除するには「タイマークリアー」の釦を押す。グループアドレスおよび他の設定内容（タイマ制御の設定内容を含む）は、図１９のようにボックスＢ2 に表示される。図１９はグループアドレスが「Ｇ１」で、３０秒の遅れ消灯が設定された状態を示す。図１８、図１９の画面においても「設定」の釦Ｓ63が表示されるから、操作釦Ｓ41〜Ｓ44にグループアドレスを設定した後に釦Ｓ63を押せば、操作釦Ｓ41〜Ｓ44に対するグループアドレスが確定し、伝送制御装置３０に転送される。
【００８０】
図２０の画面では、個別アドレス・調光アドレスを設定する対象となる操作釦Ｓ41〜Ｓ44が表示される。この画面で操作釦Ｓ41〜Ｓ44を選択して押せば、図２１の画面が表示される。個別制御や調光制御では、グループ制御と同様にタイマ制御が可能であって、一時点灯および遅れ消灯の設定が可能であり、その時間も段階的に設定可能になっている。また、図２１の画面においては、「個別」「調光」を選択すれば、負荷のオンオフのみを制御するか、照明負荷の調光を行なうかの選択が可能になる。また、「改行」によりボックスＢ3 の表示内容のうちのどれを対象にしているかを選択することができる。つまり、ボックスＢ3 には複数行が表示され、「改行」の釦を押すとボックスＢ3 の外に設けたカーソルＣ1 が上下に移動してボックスＢ3 内の行を指定する。「改行」の釦は順次循環的に行を選択する。ところで、図２１の画面では右上に「負荷選択」の釦Ｓ64が表示される。この釦Ｓ64は、負荷の種類を選択するとともに、選択した負荷の種類に応じて画面右上部の表示部Ｄ3 の内容を変化させるものであって、釦Ｓ64を押すたびに、図２２に示すように、調光する対象を白熱灯として２５６回路分の制御を行なう場合（図２２ (ａ））、調光しない場合（図２２ (ｂ））、調光する対象を白熱灯として１６回路の制御を行なう場合（図２２（ｃ））、調光する対象をインバータ式の蛍光灯とする場合（図２１に示した状態）を順次循環的に選択することができる。図２１の画面において「設定」の釦Ｓ63を押せば図２１の画面の内容で設定される。
【００８１】
図１４の画面で「電動その他」の釦Ｓ5 を選択すれば、図２３の画面に移行する。この画面では、電動機器等の制御の設定や確認を行なうための操作釦Ｓ41〜Ｓ44が表示される。この画面による制御対象は、動作方向と動作強度との少なくとも一方を制御可能な負荷であり、たとえば、ファンのように動作強度として風量を制御するもの、スピーカのように動作強度として音量を制御するもの、電動カーテンのように動作方向として開閉を制御するもの、ファンコイルユニットのように動作方向として冷房か暖房かの別および動作強度として温度を制御するものなどがある。操作釦Ｓ41〜Ｓ44を選択すれば、図２４に示すように上述のような制御対象の設定や確認に適した設定用の釦が表示される。とくに、上述した対象の制御では、照明負荷以外の負荷を選択する必要があるから、「負荷選択」の釦Ｓ64を操作することによって、画面に設けた表示部Ｄ4 にあらかじめ設定されている各種の負荷名が順次循環的に表示される。ここでは、負荷名として「全熱」「全熱強制」「ファン」「音量」「電動モニタ無」「電動」が選択可能である。なお、図示例では「ファン」が選択されている。画面上で負荷ナンバーは負荷番号を意味し、負荷ナンバーの下方に並ぶ１〜４の数値が負荷番号になる。また、ボックスＢ4 により個別制御でチャンネルが「２」であることが示されている。表示内容が確定すれば、「設定」の釦Ｓ63を押して設定内容を確定する。
【００８２】
図１４の画面において、「負荷シンボル設定」を選択したときには、上述したシンボルを設定する画面が表示される。つまり、あらかじめフラッシュメモリ２２に登録されている各種シンボルを表示させて、負荷の種類に応じたシンボルを選択すれば、選択した操作釦Ｓ41〜Ｓ44にシンボルが対応付けられる。このように負荷にシンボルを対応付けることによって、各時点で操作釦Ｓ41〜Ｓ44が対象とする制御の内容や負荷の種類を容易に理解することができるのである。また、フラッシュメモリ２２に登録されたシンボルから選択することで操作釦Ｓ41〜Ｓ44にシンボルを割り付けることができるから、設定作業が容易になる。
【００８３】
図１４の画面において、「パターン・グループ設定」を選択すれば、パターン制御、グループ制御、パターン調光、グループ調光などの操作側と制御側との対応関係を設定することができ、対応関係を設定した後に釦Ｓ63を押操作すれば、設定された関係データを伝送制御装置３０に転送することができる。また、「パターン・グループ設定」においては、伝送制御装置３０に設定した関係データの内容を確認する機能も備える。
【００８４】
図１４の画面において、「操作ロック設定」を選択したときは、パターン制御ないしグループ制御の際に特定の負荷については個別スイッチでの制御を禁止する設定が可能になる。「操作ロック設定」で指定した操作釦Ｓ41〜Ｓ44の操作は、パターン制御あるいはグループ制御が行なわれているときには無効になる。
【００８５】
図１４の画面において、「画面清掃モード」を選択したときには、タッチパネル１２からの入力を無効にする。つまり、タッチパネル１２の汚れを拭き取るときに、タッチパネル１２に触れても誤動作することがないように、一時的にタッチパネル１２の入力が受け付けられないようにするのである。「画面清掃モード」ではタッチパネル１２の操作を受け付けないから、「画面清掃モード」を解除するには設定スイッチＳＷを押操作する。
【００８６】
【発明の効果】
請求項１の発明は、表示器に透明なタッチパネルを重ね合わせてあり、設定モードでは表示器の表示内容に関連付けてタッチパネルの操作部に各種処理内容を割り付けるから、多数の機能を持たせることが可能になって、占有スペースが比較的小さいながらも設定・制御・管理などに必要な各種機能を実現することができるという利点があり、多機能な設定操作端末器を用いることによって高機能化が可能になるとともに、コストパフォーマンスを高めることができる。さらに、制御部が操作部の操作によりスイッチと負荷との対応関係である関係データを設定し、かつ設定した関係データを分割し関係データを一部ずつ複数回に分けて信号線を介して伝送制御装置に転送するので、設定操作端末器を用いて伝送制御装置に関係データを設定することができる上に、負荷の制御ができなくなる期間を生じることなく関係データを転送することができる。
【００８７】
請求項２の発明は、請求項１の発明において、設定操作端末器の器体が大角連用形の配線器具の単位寸法の整数倍に相当する寸法の配線器具を取付可能な取付枠と同じ取付ピッチの取付部を備えた取付片を有し、取付部として少なくとも配線器具用のスイッチボックスに螺合するボックスねじが挿通可能なボックス取付孔を備えるものであり、既製の配線器具に用いるスイッチボックスに取り付けることが可能であるから、施工用部材の製造ラインを別途に設ける必要がなく、コスト増の抑制につながり、またスイッチやコンセントのような配線器具と同様に施工することができ、施工作業の技術習得のための教育費用が少なくなる。
【００８８】
請求項３の発明は、請求項１または請求項２の発明において、前記制御部が、設定モードにおいて負荷のアドレスに一対一に対応するスイッチのアドレスに相当する個別アドレスを前記操作部に割り付ける機能を有し、操作モードにおいて個別アドレスを割り付けた操作部を操作することにより負荷をオンオフさせる機能を有するものであり、個別制御用の操作端末器として用いることが可能になる。
【００８９】
請求項４の発明は、請求項１または請求項２の発明において、前記制御部が、設定モードにおいて負荷の複数のアドレスに一対多に対応するスイッチのアドレスに相当するグループアドレスを前記操作部に割り付ける機能を有し、操作モードにおいてグループアドレスを割り付けた操作部を操作することにより複数の負荷を一括して同じ状態にオンオフさせる機能を有するものであり、グループ制御用の操作端末器として用いることが可能になる。
【００９０】
請求項５の発明は、請求項１または請求項２の発明において、前記制御部が、設定モードにおいて負荷の複数のアドレスに一対多に対応するスイッチのアドレスに相当するパターンアドレスを前記操作部に割り付ける機能を有し、操作モードにおいてパターンアドレスを割り付けた操作部を操作することにより複数の負荷を個々に指定された状態で一括してオンオフさせる機能を有するものであり、パターン制御用の操作端末器として用いることが可能になる。
【００９１】
請求項６の発明は、請求項３または請求項４の発明において、前記制御部が、設定モードにおいて操作部のオフ操作から一定の遅れ時間の経過後に負荷をオフにするように操作部に遅れ時間を対応付ける機能を有し、操作モードにおいて当該操作部によるオフ操作から遅れ時間後にオフを指示する監視データを発生する機能を有するものであり、オフ操作から遅れて負荷を停止させる操作端末器として用いることができる。
【００９２】
請求項７の発明は、請求項３または請求項４の発明において、前記制御部が、設定モードにおいて操作部のオン操作により負荷をオンにした後から一定の保持時間が経過すると負荷をオフにするように操作部に保持時間を対応付ける機能を有し、操作モードにおいて当該操作部によるオン操作によりオンを指示する監視データを発生し、かつ保持時間の経過後にオフを指示する監視データを発生する機能を有するものであり、オン操作から一定時間だけ負荷を動作させる操作端末器として用いることができる。
【００９３】
請求項８の発明は、請求項１または請求項２の発明において、前記負荷が照明負荷であり、前記制御端末器が照明負荷の調光量が制御可能な調光用制御端末器であって、前記制御部が、設定モードにおいて調光用制御端末器への調光レベルを指示する機能を操作部に割り付け、操作モードにおいて当該操作部の操作により調光用制御端末器による照明負荷の調光量を変化させるものであり、調光用操作端末器として用いることができる。
【００９４】
請求項９の発明は、請求項８の発明において、前記制御部が、設定モードにおいて照明負荷の複数のアドレスに一対多に対応するグループ調光アドレスを前記操作部に割り付ける機能を有し、操作モードにおいてグループ調光アドレスを割り付けた操作部を操作することにより複数の照明負荷を一括して同じ調光レベルに制御する機能を有するものであり、調光のグループ制御を行なう調光用一括操作端末器として用いることができる。
【００９５】
請求項１０の発明は、請求項１または請求項２の発明は、前記制御端末器が負荷の動作方向と動作強度との少なくとも一方を制御可能であって、前記制御部が、設定モードにおいて負荷の動作方向と動作強度との少なくとも一方を指示する機能を操作部に割り付け、操作モードにおいて当該操作部の操作により前記制御端末器による負荷の動作方向ないし動作強度を指示するものであり、電動カーテン、ファン、ファンコイル、スピーカなどの各種負荷を制御するための操作端末器として用いることが可能になる。
【図面の簡単な説明】
【図１】本発明の実施の形態に用いる設定操作端末器を示すブロック図である。
【図２】同上のシステム構成例を示すブロック図である。
【図３】同上に用いる設定操作端末器を示す分解斜視図である。
【図４】同上に用いる設定操作端末器を示す正面図である。
【図５】同上に用いる設定操作端末器を示す一部切欠した側面図である。
【図６】同上に用いる設定操作端末器を示すネーム板を開いた正面図である。
【図７】同上に用いる設定操作端末器を示す表示ユニットを本体ユニットから外した状態の正面図である。
【図８】同上に用いる設定操作端末器を示す一部切欠した背面図である。
【図９】同上に用いる設定操作端末器を示す操作表示ユニットを開いた状態の正面図である。
【図１０】同上に用いる設定操作端末器を示す本体ユニットを開いた状態の正面図である。
【図１１】同上の表示例を示す動作説明図である。
【図１２】同上の表示例を示す動作説明図である。
【図１３】同上の表示例を示す動作説明図である。
【図１４】同上の表示例を示す動作説明図である。
【図１５】同上の表示例を示す動作説明図である。
【図１６】同上の表示の変化を示す動作説明図である。
【図１７】同上の表示例を示す動作説明図である。
【図１８】同上の表示例を示す動作説明図である。
【図１９】同上の表示例を示す動作説明図である。
【図２０】同上の表示の変化を示す動作説明図である。
【図２１】同上の表示例を示す動作説明図である。
【図２２】同上の表示例を示す動作説明図である。
【図２３】同上の表示例を示す動作説明図である。
【図２４】同上の表示例を示す動作説明図である。
【図２５】従来の遠隔監視制御システムを示すブロック図である。
【図２６】同上の動作説明図である。
【符号の説明】
１  設定操作端末器
１１  液晶部
１２  タッチパネル
２０  メインマイコン
３０  伝送制御装置
３１  操作端末器
３２  制御端末器
Ｌ  負荷
Ｌｓ  信号線
Ｓ0   スイッチ
【図１】
0003718999.tif 000002
【図２】
0003718999.tif 000003
【図３】
0003718999.tif 000004
【図４】
0003718999.tif 000005
【図５】
0003718999.tif 000006
【図６】
0003718999.tif 000007
【図７】
0003718999.tif 000008
【図８】
0003718999.tif 000009
【図９】
0003718999.tif 000010
【図１０】
0003718999.tif 000011
【図１１】
0003718999.tif 000012
【図１２】
0003718999.tif 000013
【図１３】
0003718999.tif 000014
【図１４】
0003718999.tif 000015
【図１５】
0003718999.tif 000016
【図１６】
0003718999.tif 000017
【図１７】
0003718999.tif 000018
【図１８】
0003718999.tif 000019
【図１９】
0003718999.tif 000020
【図２０】
0003718999.tif 000021
【図２１】
0003718999.tif 000022
【図２２】
0003718999.tif 000023
【図２３】
0003718999.tif 000024
【図２４】
0003718999.tif 000025
【図２５】
0003718999.tif 000026
【図２６】
0003718999.tif 000027